(57)【要約】      （修正有）【課題】カードにより開錠および施錠を行い、安定性及び操作性が優れたファスナーロック装置を提供する。【解決手段】ファスナーロック装置は、ケースユニット１、留め具ユニット２、ロックベースユニット及びカード４を備える。ケースユニット１は、ケースベース１１、底板１２、およびケースベース１１と底板１２との間には収容空間を有する。留め具ユニット２は、収容空間内に設けられ、作動柱２１、留め具片２２及びボタン２３を有する。ロックベースユニットは、収容空間内に設けられ、固定ベース３２、複数の軸受体３３、複数のバネ３４、可動ベース３５、複数の支持体３６及び可動カバー３７を有する。カード４は、ケースベース１１の挿入溝１１６及び可動カバー３７の挿入溝３７９内に挿入され、可動ベース３５および可動カバー３７を移動させ、開錠および施錠を行う。【選択図】図１
0003180798.tif 000002
【実用新案登録請求の範囲】
【請求項１】
ファスナーの引手をロックする装置であって、ケースユニット、留め具ユニット、ロックベースユニット及びカードを備え、
前記ケースユニットは、ケースベース、底板、および前記ケースベースと前記底板との間には収容空間を有し、前記ケースベースは前記ファスナーの前記引手を挿入可能な施錠溝、および、側縁に形成される挿入溝を有し、
前記留め具ユニットは、前記収容空間内に設けられ、作動柱、留め具片及びボタンを有し、前記作動柱は前記ケースベースに設けられ、施錠および開錠を行い、前記留め具片は一端が前記ボタンに接続され前記施錠溝の位置に対応して前記引手を固定する留め具体を有し、
前記ロックベースユニットは、前記収容空間内に設けられ、固定ベース、複数の軸受体、複数のバネ、可動ベース、複数の支持体及び可動カバーを有し、
前記固定ベースは、前記底板の所定位置に設けられ、等距離に配列される凹溝を複数有し、前記凹溝の前記ケースベース側の端部には前記凹溝の直径より小さい直径を有する当接縁が形成され、
複数の前記軸受体は、対応する前記凹溝内に設けられ、前記軸受体の底板側の端部の直径が前記凹溝の前記当接縁の直径より大きくなるよう形成され、前記軸受体の前記ケースベース側の端部に直径が前記凹溝の直径より小さい軸受部が形成され、高度が前記凹溝の前記当接縁の高度より高くなるよう形成される高軸受体、および、高度が前記凹溝の前記当接縁の高度に対応する低軸受部を含み、
各前記バネは、前記凹溝内において前記軸受体の前記底板側に設けられ、各前記軸受体を付勢し、
前記可動ベースは、前記固定ベースの前記ケースベース側に設けられ、前記固定ベースに対応して横方向に移動し、前記固定ベースの前記凹溝の位置に対応して複数の透孔を有し、
前記支持体は、長さが前記透孔の高度より長く形成される高支持体および長さが前記透孔の高度に対応する低支持体を含み、前記高支持体が前記透孔を貫通して前記低軸受部の前記ケースベース側に設けられ、前記低支持体が前記透孔を貫通して前記高軸受部の前記ケースベース側に設けられ、
前記可動カバーには前記ケースベースの前記挿入溝の位置に対応する挿入溝が形成され、
前記カードは、前記ケースベースの前記挿入溝及び前記可動カバーの前記挿入溝内に挿入され、前記高支持体の位置に対応してカード孔が形成され、前記可動ベースおよび前記可動カバーを移動させ、開錠および施錠を行うことを特徴とするファスナーロック装置。
【請求項２】
前記軸受体及びバネの数量は、前記固定ベースの前記凹溝の数量と一致し、
前記可動ベースは、前記透孔及び前記支持体の数量が前記固定ベースの前記凹溝の数量より一つ少なくなるよう形成され、
前記透孔の直径は前記固定ベースの前記凹溝の前記当接縁の直径と一致ことを特徴とする請求項１記載のファスナーロック装置。
【請求項３】
前記ロックベースユニットは、嵌装ベースを更に有し、
前記嵌装ベースは、前記ケースユニットの前記底板に固設され、中央に前記固定ベース及び前記可動ベースを収容する収容溝を有することを特徴とする請求項１または２記載のファスナーロック装置。
【請求項４】
前記可動カバーの一面に係合部が形成され、
前記係合部は、前記嵌装ベースの前記収容溝の上方に嵌合し、前記可動ベースとの間に前記カードの端部を挿入可能な挿入空間を形成することを特徴とする請求項３記載のファスナーロック装置。
【請求項５】
前記固定ベースの前記ケースベース側の一端には定位溝が形成され、
前記定位溝にはバネが設置され、前記バネの上方には定位ボールが設置され、
前記可動ベースは、前記底板側の一端に、施錠および開錠の異なる位置に対応して前記定位ボールと接続する定位溝が形成されることを特徴とする請求項４記載のファスナーロック装置。
【請求項６】
前記可動ベースの短手方向の一端に接続溝が形成され、
前記可動カバーは、前記係合部の一端に側板が形成され、前記側板の内側に前記可動ベースの前記接続溝と接合する接続縁が形成されることを特徴とする請求項５記載のファスナーロック装置。
【請求項７】
前記嵌装ベースは、前記収容溝の側壁の前記ケースベース側の両側に、施錠および開錠の位置に対応する施錠当接縁および開錠当接縁が形成され、
前記可動カバーは、前記側板の両側に、開錠および施錠時に、それぞれ前記嵌装ベースの前記施錠当接縁および前記開錠当接縁に当接する当接縁が形成されることを特徴とする請求項５記載のファスナーロック装置。
【請求項８】
前記ケースベースは、前記施錠溝側に当接片が設けられ、内壁に軸柱が設けられ、
前記留め具ユニットの前記作動柱は、前記ケースベースの前記軸柱に回転可能に設けられ、当接部及び第１発動部を有し、前記弾性部材に接続され、
前記留め具片は、一端がボタンと接続し、他端が前記当接部の位置に対応し、前記作動柱の発動前の時、施錠位置に位置し、
前記ボタンは前記ケースベースの一端に位置し、前記留め具体は前記弾性部材の一端に当接し、前記弾性部材の他端は前記ケースベースの前記当接片に当接し、前記ボタンが前記留め具片を押し圧す前のとき、前記弾性部材は弾力により前記留め具体を留め位置に位置させることを特徴とする請求項４記載のファスナーロック装置。
【請求項９】
第２ロックベースを更に備え、
前記ケースユニットの前記ケースベースは、前記軸柱の一側に接続溝が設置され、
前記作動柱は、更に第２発動部を有し、
前記第２ロックベースは、前記ケースベースの前記接続溝内に設けられ、前記作動柱の前記第二発動部に接触して連動する凸縁が形成されることを特徴とする請求項８記載のファスナーロック装置。
【考案の詳細な説明】
【技術分野】
【０００１】
本考案は、ファスナーロック装置に関する。
【背景技術】
【０００２】
従来のファスナーロック装置は、鞄やその他のファスナーを有する物品に設けられ、鞄のファスナーを閉める時、引手がファスナーロック装置の施錠溝に挿入される。また、移動可能な留め具体を施錠溝に挿入されたファスナーの引手の穿孔に挿入することにより施錠し、留め具体を引手の穿孔から外すことにより開錠する。
【考案の概要】
【考案が解決しようとする課題】
【０００３】
従来のファスナーロック装置は、ダイアルロック構造であり、ダイアルを回転することで番号を合わせて開錠、又は番号をずらして施錠する。しかし、前記設計では使用者が生年月日等覚えやすい番号を設定しなければ、使用者は開錠番号を忘れて開錠できなくなるおそれがある。
【０００４】
また、カギによる開錠施錠を行う構造を有するファスナーロック装置が開示されているが、使用者は、カギを携帯しなければならず、不便であり、カギを容易に紛失する。
【０００５】
本考案は、上記問題に鑑みてなされたものであり、その目的は、カードにより開錠および施錠を行い、安定性及び操作性が優れたファスナーロック装置を提供することにある。
【課題を解決するための手段】
【０００６】
本考案のファスナーロック装置は、ファスナーの引手をロックする装置であって、ケースユニット、留め具ユニット、ロックベースユニット及びカードを備える。ケースユニットは、ケースベース、底板、およびケースベースと底板との間には収容空間を有し、ケースベースは引手を挿入可能な施錠溝、および、側縁に形成される挿入溝を有する。
【０００７】
留め具ユニットは、収容空間内に設けられ、作動柱、留め具片及びボタンを有し、作動柱はケースベースに設けられ、施錠および開錠を行い、留め具片は一端がボタンに接続され施錠溝の位置に対応してファスナーの引手を固定する留め具体を有する。
ロックベースユニットは、収容空間内に設けられ、固定ベース、複数の軸受体、複数のバネ、可動ベース、複数の支持体及び可動カバーを有する。
【０００８】
固定ベースは、底板の所定位置に設けられ、等距離に配列される凹溝を複数有し、凹溝のケースベース側の端部には凹溝の直径より小さい直径を有する当接縁が形成される。
【０００９】
複数の軸受体は、対応する凹溝内に設けられ、軸受体の底板側の端部の直径が凹溝の前記当接縁の直径より大きくなるよう形成され、軸受体の前記ケースベース側の端部に直径が凹溝の直径より小さい軸受部が形成され、高度が凹溝の当接縁の高度より高くなるよう形成される高軸受体、および、高度が凹溝の当接縁の高度に対応する低軸受部を含む。
各バネは、凹溝内において軸受体の底板側に設けられ、各軸受体を付勢する。
可動ベースは、固定ベースのケースベース側に設けられ、固定ベースに対応して横方向に移動し、固定ベースの凹溝の位置に対応して複数の透孔を有する。
【００１０】
支持体は、長さが透孔の高度より長く形成される高支持体および長さが透孔の高度に対応する低支持体を含み、高支持体が透孔を貫通して低軸受部のケースベース側に設けられ、低支持体が透孔を貫通して高軸受部のケースベース側に設けられる。
可動カバーにはケースベースの挿入溝の位置に対応する挿入溝が形成される。
【００１１】
カードは、ケースベースの挿入溝及び可動カバーの挿入溝内に挿入され、高支持体の位置に対応してカード孔が形成され、可動ベースおよび可動カバーを移動させ、開錠および施錠を行う。
【図面の簡単な説明】
【００１２】
【図１】本考案の一実施形態のファスナーロック装置の分解斜視図である。
【図２】本考案の一実施形態のファスナーロック装置の要部斜視図である。
【図３】本考案の一実施形態のファスナーロック装置の斜視図である。
【図４】本考案の一実施形態のファスナーロック装置のロックベースユニットを示す模式図である。
【図５】本考案の一実施形態のファスナーロック装置の断面図である。
【図６】本考案の一実施形態のファスナーロック装置の断面図である。
【図７】本考案の一実施形態のファスナーロック装置の断面図である。
【図８】本考案の一実施形態のファスナーロック装置のロックベースユニットを示す模式図である。
【図９】本考案の一実施形態のファスナーロック装置の断面図である。
【図１０】本考案の他の実施形態のファスナーロック装置の断面図である。
【図１１】本考案の他の実施形態のファスナーロック装置の断面図である。
【図１２】本考案の他の実施形態のファスナーロック装置の断面図である。
【考案を実施するための形態】
【００１３】
（一実施形態）
図１〜５を参照すると、本考案の一実施形態によるファスナーロック装置は、ケースユニット１、留め具ユニット２、ロックベースユニット３、カード４及び第２ロックベース５を備える。そのうち、ケースユニット１はケースベース１１と底板１２を有し、ケースベース１１と底板１２は接続素子により接続され、ケースベース１１と底板１２との間には収容空間１３を有する。ケースベース１１は、ファスナーの引手（図示せず）を挿入する施錠溝１１１を有し、施錠溝１１１側に当接片１１２が設けられる。ケースベース１１の側方に透孔１１３が形成され、内壁に軸柱１１４が設けられる。軸柱１１４の一端に接続溝１１５が形成され、ケースベース１１の側縁に挿入溝１１６が形成され、挿入溝１１６の内側両端に当接縁１１７、１１８が形成される。また、ケースベース１１は監視する窓部１１９を有する。
【００１４】
留め具ユニット２は、収容空間１３内に設けられ、作動柱２１、留め具片２２及びボタン２３を有する。作動柱２１は、ケースベース１１の軸柱１１４に回転可能に設けられる。作動柱２１は、外縁に当接部２１１及び第１、第２発動部２１２、２１３が凸設される。作動柱２１は弾性部材２１４に接続され、作動柱２１が発動していないとき、対応する施錠位置に位置する。また留め具片２２の一端はボタン２３に当接される。ボタン２３は、ケースベース１１の透孔１１３に位置する。前記留め具片２２は、一端が作動柱２１の当接部２１１の位置に対応し、施錠溝１１１の位置に対応して引手の穿孔（図示せず）を貫通可能な留め具体２２１が設けられ、留め具体２２１の一端は弾性部材２２２の一端と接続する。弾性部材２２２の別の一端はケースベース１１の当接片１１２に当接する。ボタン２３に押し圧されていないとき、留め具片２２は弾性部材２２２の弾力により留め具体２２１を留め位置に位置させる。
【００１５】
ロックベースユニット３は、収容空間１３内に設けられ、嵌装ベース３１、固定ベース３２、６個の軸受体３３、６個のバネ３４、可動ベース３５、５個の支持体３６及び可動カバー３７を含む。嵌装ベース３１は、接続素子によりケースユニット１の底板１２に固設され、一端がケースベース１１の挿入溝１１６の位置に対応する。また嵌装ベース３１の中央には収容溝３１１が形成され、収容溝３１１の側壁の上方の両側には施錠位置および開錠位置に対応した当接縁３１２、３１３が形成される。固定ベース３２は、嵌装ベース３１の収容溝３１１の下方位置に設けられ、６個の凹溝３２１が等距離に配列されている。凹溝３２１の上端には直径が小さい当接縁３２２が形成される。当接縁３２２は当接縁高度ａを有する。また、固定ベース３２の一端の上方には定位溝３２３が形成され、定位溝３２３にはバネ３２４が設置されている。バネ３２４の上方には定位ボール３２５が設けられている。
【００１６】
６個の軸受体３３は、凹溝３２１内に設けられる。軸受体３３は、下方の直径が凹溝３２１の当接縁３２２の直径より大きく、上方に直径が当接縁３２２の直径より小さい軸受部を有する。複数の軸受体３３は高軸受部３３１の高度が当接縁の高度ａより高い高軸受部３３１および軸受部３３２の高度が当接縁の高度ａにほぼ対応する低軸受部３３２を有す。また、６個のバネは、凹溝部３２１内において軸受体３３の下方の位置に対応して設けられ、弾力により軸受体３３を凹溝３２１内で上下に移動させる。
【００１７】
可動ベース３５は、固定ベース３２の上方に設けられ、固定ベース３２に対応して横方向に移動する。可動ベース３５は、固定ベース３２の凹溝３２１の位置に対応する５個の透孔３５１を有し、透孔３５１の数量は凹溝３２１の数量より一つ少なく、直径は固定ベース３２の当接縁３２２の直径と一致する。透孔３５１は透孔高度ｂを有する。また、可動ベース３５の一側下方に異なる位置に対応して、固定ベース３２の定位ボール３２５と接続可能な施錠定位溝３５２および開錠定位溝３５３が設置される。また側方に可動カバー３７に連動可能に接続する接続溝３５４が設置される。また５個の支持体３６は必要に応じて、高支持体３６１と低支持体３６２を有し、高支持体３６１の長さは透孔高度ｂより長く、低支持体３６２の長さは透孔高度ｂにほぼ一致する。また高支持体３６１は、低軸受部３３２の位置に対応して設けられ、低支持体３６２は高軸受部３３１の位置に対応して設けられる。
【００１８】
可動カバー３７の一側にが、嵌装ベース３１の収容溝３１１の上方位置に係合する係合部３７１を有し、開錠時に作動柱２１の第１発動部２１２に当接する。また、係合部３７１の一側には側板３７２を有し、側板３７２の両端は施錠作動、開錠作動に対応してそれぞれ嵌装ベース３１の両側当接縁３１２、３１３に当接する当接縁３７３、３７４を有する。側板３７２の内面には可動ベース３５の接続溝３５４に連動して接続される接続縁３７５を有し、係合部３７１と可動ベース３５との間には挿入空間３７６を有する。係合部３７１上方にはケースベース１１の窓部１１９の位置に対応して、施錠表示３７７および開錠表示３７８を有する。また可動カバー３７外側はケースベース１１の挿入溝１１６位置に対応して挿入溝３７９が形成され、挿入溝３７９の両側にはケースベース１１の挿入溝１１６の両側の当接縁１１７、１１８に当接する施錠ストップ部３７９１および開錠ストップ部３７９２を有する。
【００１９】
カード４はケースベース１１及び可動カバー３７の挿入溝１１６、３７９内に挿入可能であり、一端が挿入空間３７６内に挿入される。また、高支持体３６１の位置に対応してカード孔４１が形成される。本実施形態において、各支持体３６は、順に低、高、低、高、低に配列され、対応する各軸受体３３の軸受部は順に高、低、高、低、高に配列される。カード孔４１は高支持体３６１の位置に対応する。
【００２０】
第２ロックベース５は、ケースベース１１の接続溝１１５内に設けられ、鍵（図示せず）により作動する凸縁５１を有する。凸縁５１は作動柱２１の第２発動部２１３と接触し連動する。第２ロックベース５は、従来の税関規格（ＴＳＡロック）によるスーツケースを検査するためのロック装置であるので、ここでは詳細の説明を割愛する。
【００２１】
図２、図５を参照すると、本考実施形態において、施錠状態時に、ケースベース１１上方の窓部１１９から施錠表示３７７が確認することができる。この時、留め具片２２の一端が作動柱２１の当接部２１１の位置に対応し、留め具体２２１は施錠溝１１１内に位置する。ボタン２３を押し圧したとき、留め具片２２は当接部２１１に当接して留め具体２２１が施錠溝１１１から外れることを防止する。この時、可動カバー３７は施錠位置のストップ部３７９１に対応し、ケースベース１１の挿入溝１１６の一側当接縁１１７に当接し、可動ベース３５が施錠位置の定位溝３５２に対応して固定ベース３２の定位ボール３２５に接続し、且つ可動カバー３７は第１発動部２１２を押し圧しない。
図６を参照すると、本実施形態において、開錠する場合、カード４をケースベース１１の挿入溝１１６及び可動カバー３７の挿入溝３７９に挿入して挿入空間３７６内に進入させる。カード孔４１を高支持体３６１の位置に対応させて、高支持体３６１をカード孔４１の位置から突出させて、且つ対応する低軸受部３３２の位置を変化させない。また、低支持体３６２は、カード４内面により押し圧され、対応する高軸受部３３１の軸受体３３を下方に移動させ、高軸受部３３１を可動ベース３５の透孔３５１から離脱させて、可動ベース３５に軸受体３３、支持体３６の制限を受けさせず、図２、図７、図８に示すように、固定ベース３２に対応して開錠位置に移動させる。可動カバー３７の側板３７２は嵌装ベース３１の開錠位置の当接縁３１３に当接し、且つ可動カバー３７は開錠位置のストップ部３７９２に対応してケースベース１１の挿入溝１１６のもう一側の当接縁１１８に当接する。また、可動ベース３５の開錠定位溝３５３は、定位ボール３２５と接続して定位され、多重定位設計により優れた定位安定性を有する。またこの時、各高、低支持体３６１、３６２は隣り合う別の軸受体３３の上方に移動し、各軸受体３３の高、低軸受部３３１、３３２を凹溝３２１の当接縁３２２上方から突出させず、可動ベース３５に逆動作して施錠させる。又使用者は、ケースベース１１の外側窓部から開錠表示（図示せず）を観察することができ、開錠時に、可動カバー３７が移動して作動柱２１の第１発動部２１２に当接して作動柱２１を回転させ、作動柱２１の当接部２１１を移動させ、留め具ユニット２の留め具片２２の一端からずらして、ボタン２３を押し圧し、留め具片２２を移動させ、留め具体２２１を施錠溝１１１から離脱させて開錠する。
【００２２】
本考案は必要に応じて、ロックベースユニット３の各軸受体３３、支持体３６及び対応カード４を備える。カード４のカード孔４１の位置が対応しない場合、開錠、施錠が行われない。図９に示すように、本考案において違うカード４を図５に示すロックベースユニット３に挿入した場合、そのカード孔４１の位置が対応する低支持体３６２の位置であるので、図９に示すｃの位置の高軸受部３３１が透孔３５１内に進入し、ｄ位置の高軸受体３６１がカード４の内面に押し圧され高軸受体３６１は可動ベース３５の透孔３３１及び固定ベース３２の凹溝３２１に同時に挿入され、開錠することができない。
【００２３】
また、本考案は必要に応じて、異なるロックベースユニット３の軸受体３３、支持体３６の異なる配置及び対応する別のカード４を合わせて異なる形態のロック装置を形成することができる。図１０〜１２は本考案の別の実施形態を示しており、本考案は様々な異なる実施形態に実施することができる。
【符号の説明】
【００２４】
１・・・ケースユニット、  
１１・・・ケースベース、  
１１１・・・施錠溝、
１１２・・・当接片、  
１１３・・・透孔、  
１１４・・・軸柱、
１１５・・・接続溝、  
１１６・・・挿入溝、  
１１７・・・当接縁、
１１８・・・当接縁、  
１１９・・・窓部、  
１２・・・底板
１３・・・収容空間、  
２・・・留め具ユニット、  
２１・・・作動柱、
２１１・・・当接部、  
２１２・・・第１発動部、  
２１３・・・第２発動部、
２１４・・・弾性部材、  
２２・・・留め具片、  
２２１・・・留め具体、
２２２・・・弾性部材、  
２３・・・ボタン、  
３・・・ロックベースユニット、
３１・・・嵌装ベース、  
３１１・・・収容溝、  
３１２・・・当接縁（施錠当接縁）、
３１３・・・当接縁（開錠当接縁）、  
３２・・・固定ベース、  
３２１・・・凹溝、
３２２・・・当接縁、  
ａ・・・当接縁高度、  
３２３・・・定位溝、
３２４・・・バネ、  
３２５・・・定位ボール、
３３・・・軸受体
３３１・・・高軸受体、  
３３２・・・低軸受体、  
３４・・・バネ、
３５・・・可動ベース、  
３５１・・・透孔、  
ｂ・・・透孔高度、
３５２・・・定位溝、  
３５３・・・定位溝、  
３５４・・・接続溝、
３６・・・支持体、  
３６１・・・高支持体、  
３６２・・・低支持体、
３７・・・可動カバー、  
３７１・・・係合部、  
３７２・・・側板、
３７３・・・当接縁、  
３７４・・・当接縁、  
３７５・・・接合縁、
３７６・・・挿入空間、  
３７７・・・表示、  
３７８・・・表示、
３７９・・・挿入溝、  
３７９１・・・ストップ部、  
３７９２・・・ストップ部、
４・・・カード、    
４１・・・カード孔、  
５・・・第２ロックベース、  
５１・・・凸縁。
【図１】
0003180798.tif 000003
【図２】
0003180798.tif 000004
【図３】
0003180798.tif 000005
【図４】
0003180798.tif 000006
【図５】
0003180798.tif 000007
【図６】
0003180798.tif 000008
【図７】
0003180798.tif 000009
【図８】
0003180798.tif 000010
【図９】
0003180798.tif 000011
【図１０】
0003180798.tif 000012
【図１１】
0003180798.tif 000013
【図１２】
0003180798.tif 000014